(57)【要約】【課題】金属材料が有する質感および透明感のある優れた美的外観を発揮させつつ、干渉縞等の発生が確実に防止される時計用文字板を提供すること、また、金属材料が有する質感および透明感のある優れた美的外観を発揮させつつ、干渉縞等の発生が確実に防止される時計を提供すること。【解決手段】本発明の時計用文字板１は、主として金属材料で構成された金属板２１を備えるものである。金属板２１よりも観察者側には、主としてプラスチック材料で構成されたプラスチック板２２が設けられている。また、金属板２１には、その厚さ方向に貫通する開口部２１１が設けられている。金属板２１の厚さは、１０〜２００μｍである。【選択図】  図１
2009085774.tif 000002
【特許請求の範囲】
【請求項１】
主として金属材料で構成された金属板を備えた時計用文字板であって、
前記金属板よりも観察者側に、主としてプラスチック材料で構成されたプラスチック板を有し、
前記金属板には、その厚さ方向に貫通する開口部が設けられていることを特徴とする時計用文字板。
【請求項２】
前記金属板の厚さは、１０〜２００μｍである請求項１に記載の時計用文字板。
【請求項３】
前記開口部の幅は、１０〜２００μｍである請求項１または２に記載の時計用文字板。
【請求項４】
前記金属板を平面視した際に前記開口部が占める面積率が１０〜６０％である請求項１ないし３のいずれかに記載の時計用文字板。
【請求項５】
前記金属板は、主としてＴｉ、Ｔｉ合金、または、ステンレス鋼で構成されたものである請求項１ないし４のいずれかに記載の時計用文字板。
【請求項６】
前記金属板は、多数個の前記開口部が設けられたものであり、
前記開口部は、前記金属板を平面視した際に、千鳥状に配されたものである請求項１ないし５のいずれかに記載の時計用文字板。
【請求項７】
前記プラスチック板の厚さは、５０〜５００μｍである請求項１ないし６のいずれかに記載の時計用文字板。
【請求項８】
前記プラスチック板の前記金属板に対向する面とは反対の面側に、指標が設けられている請求項１ないし７のいずれかに記載の時計用文字板。
【請求項９】
請求項１ないし８のいずれかに記載の時計用文字板を備えたことを特徴とする時計。
【請求項１０】
ムーブメントと、前記ムーブメントよりも外表面側に配置されたカバーガラスとを備えた時計であって、
前記ムーブメントと前記カバーガラスとの間に、主として金属材料で構成された金属板が配されており、
前記金属板と前記カバーガラスとの間に、主としてプラスチック材料で構成されたプラスチック板が配されており、
前記金属板には、その厚さ方向に貫通する開口部が設けられていることを特徴とする時計。
【発明の詳細な説明】
【技術分野】
【０００１】
本発明は、時計用文字板および時計に関する。
【背景技術】
【０００２】
時計には、時刻を表示し、使用者等に容易に視認させる等の実用性が求められるとともに、装飾品としての美的外観（審美性）が求められる。特に、時計用文字板は、時計全体としての美的外観に大きな影響を与える部材である。
このように、時計（時計用文字板）には、実用品としての機能とともに、装飾品としての機能も求められる。このため、時計用文字板としては、金属材料で構成された金属板が広く用いられている（例えば、特許文献１参照）。また、このような金属板で構成された時計用文字板においては、装飾性を高める目的で、メッキ層を形成することなどが行われている。
また、時計用文字板の透明感を高め、審美性の更なる向上を図るために、例えば、金属板の外表面側に、プラスチック製の板を配置する試みがある。
しかしながら、金属板の外表面側にプラスチック製の板を配すると、干渉縞等が発生してしまい、時計（時計用文字板）としての審美性を著しく低下させてしまうことがある。
【０００３】
【特許文献１】特開平８−２８５９５７号公報
【発明の開示】
【発明が解決しようとする課題】
【０００４】
本発明の目的は、金属材料が有する質感および透明感のある優れた美的外観を発揮させつつ、干渉縞等の発生が確実に防止される時計用文字板を提供すること、また、金属材料が有する質感および透明感のある優れた美的外観を発揮させつつ、干渉縞等の発生が確実に防止される時計を提供することにある。
【課題を解決するための手段】
【０００５】
このような目的は、下記の本発明により達成される。
本発明の時計用文字板は、主として金属材料で構成された金属板を備えた時計用文字板であって、
前記金属板よりも観察者側に、主としてプラスチック材料で構成されたプラスチック板を有し、
前記金属板には、その厚さ方向に貫通する開口部が設けられていることを特徴とする。
これにより、金属材料が有する質感および透明感のある優れた美的外観を発揮させつつ、干渉縞等の発生が確実に防止される時計用文字板を提供することができる。
【０００６】
本発明の時計用文字板では、前記金属板の厚さは、１０〜２００μｍであることが好ましい。
これにより、金属材料に特有の質感をより効果的に表現することができ、時計用文字板の美的外観（高級感）を特に優れたものとすることができる。
本発明の時計用文字板では、前記開口部の幅は、１０〜２００μｍであることが好ましい。
これにより、金属材料に特有の質感をより効果的に表現しつつ、干渉縞等の発生をより確実に防止することができ、時計用文字板の美的外観（高級感）を特に優れたものとすることができる。
【０００７】
本発明の時計用文字板では、前記金属板を平面視した際に前記開口部が占める面積率が１０〜６０％であることが好ましい。
これにより、金属材料に特有の質感をより効果的に表現しつつ、干渉縞等の発生をより確実に防止することができ、時計用文字板の美的外観（高級感）を特に優れたものとすることができる。
【０００８】
本発明の時計用文字板では、前記金属板は、主としてＴｉ、Ｔｉ合金、または、ステンレス鋼で構成されたものであることが好ましい。
これにより、時計用文字板の美的外観を特に優れたものとすることができるとともに、時計用文字板の機械的安定性を特に優れたものとすることができる。
本発明の時計用文字板では、前記金属板は、多数個の前記開口部が設けられたものであり、
前記開口部は、前記金属板を平面視した際に、千鳥状に配されたものであることが好ましい。
これにより、金属材料に特有の質感をより効果的に表現しつつ、干渉縞等の発生をより確実に防止することができ、時計用文字板の美的外観（高級感）を特に優れたものとすることができる。
【０００９】
本発明の時計用文字板では、前記プラスチック板の厚さは、５０〜５００μｍであることが好ましい。
これにより、金属材料に特有の質感を十分に発揮させるとともに、干渉縞等の発生を確実に防止しつつ、より透明感のある優れた美的外観を発揮させることができる。
本発明の時計用文字板では、前記プラスチック板の前記金属板に対向する面とは反対の面側に、指標が設けられていることが好ましい。
これにより、指標の立体感を特に優れたものとすることができるとともに、干渉縞などの発生をより確実に防止することができ、時計用文字板の美的外観を特に優れたものとすることができる。
【００１０】
本発明の時計は、本発明の時計用文字板を備えたことを特徴とする。
これにより、金属材料が有する質感および透明感のある優れた美的外観を発揮させつつ、干渉縞等の発生が確実に防止される時計を提供することができる。
本発明の時計は、ムーブメントと、前記ムーブメントよりも外表面側に配置されたカバーガラスとを備えた時計であって、
前記ムーブメントと前記カバーガラスとの間に、主として金属材料で構成された金属板が配されており、
前記金属板と前記カバーガラスとの間に、主としてプラスチック材料で構成されたプラスチック板が配されており、
前記金属板には、その厚さ方向に貫通する開口部が設けられていることを特徴とする。
これにより、金属材料が有する質感および透明感のある優れた美的外観を発揮させつつ、干渉縞等の発生が確実に防止される時計を提供することができる。
【発明の効果】
【００１１】
本発明によれば、金属材料が有する質感および透明感のある優れた美的外観を発揮させつつ、干渉縞等の発生が確実に防止される時計用文字板を提供すること、また、金属材料が有する質感および透明感のある優れた美的外観を発揮させつつ、干渉縞等の発生が確実に防止される時計を提供することができる。
【発明を実施するための最良の形態】
【００１２】
以下、本発明の好適な実施形態について、添付図面を参照しつつ説明する。
まず、本発明の時計用文字板の好適な実施形態について説明する。
＜時計用文字板＞
図１は、本発明の時計用文字板の好適な実施形態を示す縦断面図、図２は、金属板が有する開口部の形状（パターン）の一例を説明するための模式的な平面図である。
【００１３】
図１に示すように、本実施形態の時計用文字板１は、文字板本体２と、指標３とを有している。文字板本体２は、主として金属材料で構成された金属板２１と、主としてプラスチック材料で構成されたプラスチック板２２とを有している。なお、本発明では、「主として」とは、対象としている部位を構成する材料のうち最も含有量の多い成分を指し、その含有量は特に限定されないが、対象としている部位を構成する材料の６０ｗｔ％以上であることが好ましく、８０ｗｔ％以上であることがより好ましく、９０ｗｔ％以上であることがさらに好ましい。
時計用文字板１は、文字板本体２のプラスチック板２２が設けられた面側（図１中上側）が観察者側（外表面側）を向くようにして用いられるものである。以下の説明では、図１中、上側を「（外光の）入射側」、図１中の下側を「（外光の）出射側」として説明する（後述する図３についても同様）。
【００１４】
［金属板］
金属板２１は、主として金属材料で構成されたものである。金属板２１を構成する金属材料は、一般に、金属光沢を有しており、光（可視光）を反射する機能を有している。したがって、金属板２１は、光（可視光）を反射する反射板として機能する。
金属板２１を構成する金属材料としては、各種金属（合金を含む）を用いることができ、好ましくは、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈや、これらのうち少なくとも１種を含む合金が挙げられる。金属板２１は、上記のような材料の中でも特に、Ａｇ、Ｃｒ、Ａｕ、Ａｌ、Ｔｉ、Ｓｎ、Ｉｎ、Ｆｅから選択される少なくとも１種を含む材料（合金を含む）で構成されたものであるのが好ましく、Ｔｉ、Ｔｉ合金、ステンレス鋼がより好ましい。これにより、時計用文字板１の美的外観を特に優れたものとすることができる。また、金属板２１が上記のような材料で構成されたものであると、後述する開口部２１１の大きさが比較的大きい場合や、金属板２１全面に占める開口部２１１の面積率（開口率）が比較的大きい場合であっても、外観上、開口部２１１の存在をより目立たないものとすることができる。なお、金属板２１は、金属材料以外の成分を含むものであってもよい。
【００１５】
金属板２１の平均厚さは、特に限定されないが、１０〜２００μｍであるのが好ましく、２０〜１５０μｍであるのがより好ましく、５０〜１２０μｍであるのがさらに好ましい。金属板２１の平均厚さが前記範囲内の値であると、金属材料に特有の質感をより効果的に表現することができ、時計用文字板１の美的外観（高級感）を特に優れたものとすることができる。これに対し、金属板２１の平均厚さが前記下限値未満であると、金属材料に特有の質感を十分に発揮させることが困難となり、時計用文字板１の美的外観（高級感）を十分に優れたものとするのが困難となる。一方、金属板２１の平均厚さが前記上限値を超えると、加工能力上、開口面積（開口部２１１の幅）が大きくなってしまい、金属材料が本来有している優れた外観を発揮させるのが困難となる。
【００１６】
また、金属板２１は、各部位で均一な組成を有するものであってもよいし、そうでなくてもよい。例えば、金属板２１は、含有成分（組成）が厚さ方向に順次変化するもの（傾斜材料）であってもよい。また、金属板２１は、複数の層を有する積層体であってもよい。このような構成にすることにより、例えば、時計用文字板１の美的外観と機械的強度とを、より高いレベルで両立することができる。また、金属板２１が積層体である場合、例えば、実質的に金属材料を含まない材料で構成された層を有していてもよい。より具体的には、金属板２１は、金属材料で構成された２つの層の間に、金属酸化物等で構成された層が介挿された構成を有するものであってもよい。
【００１７】
ところで、時計用文字板の透明感を高め、審美性の更なる向上を図るために、例えば、金属板の外表面側に、プラスチック製の板を配置する試みがある。しかしながら、金属板の外表面側にプラスチック製の板を配すると、干渉縞等が発生してしまい、時計（時計用文字板）としての審美性を著しく低下させてしまうことがある。そこで、本発明では、金属板よりも観察者側に、プラスチック板を配するとともに、金属板としてその厚さ方向に貫通する開口部が設けられたものを用いることとした。これにより、金属材料が有する質感および透明感のある優れた美的外観を発揮させつつ、干渉縞等の発生が確実に防止される時計用文字板を提供することができることを、本発明者は見出した。
そして、本実施形態の時計用文字板１においても、金属板２１には、その厚さ方向に貫通する開口部２１１が設けられている。
【００１８】
開口部２１１の幅（図中のＷ）は、特に限定されないが、１０〜２００μｍであるのが好ましく、２０〜１６０μｍであるのがより好ましい。開口部２１１の幅が前記範囲内の値であると、金属材料に特有の質感をより効果的に表現しつつ、干渉縞等の発生をより確実に防止することができ、時計用文字板１の美的外観（高級感）を特に優れたものとすることができる。これに対し、開口部２１１の幅が前記下限値未満であると、所定の開口率（開口部２１１の占有率）を確保するために、開口部２１１のピッチを小さくする必要があり、そのため、金属板２１の構成材料や開口部２１１の幅等によっては、開口部２１１の存在が目立ってしまい、時計用文字板１の美的外観を十分に優れたものとするのが困難になる可能性がある。一方、開口部２１１の幅が前記上限値を超えると、金属板２１の構成材料や金属板２１の開口率等によっては、開口部２１１の存在が目立ってしまい、時計用文字板１の美的外観を十分に優れたものとするのが困難になる。
【００１９】
また、開口部２１１のピッチ（図中のＰ）は、１５〜３５０μｍであるのが好ましく、３０〜３００μｍであるのがより好ましい。開口部２１１のピッチが前記範囲内の値であると、金属材料に特有の質感をより効果的に表現しつつ、干渉縞等の発生をより確実に防止することができ、時計用文字板１の美的外観（高級感）を特に優れたものとすることができる。これに対し、開口部２１１のピッチが前記下限値未満であると、金属板２１の構成材料や開口部２１１の幅等によっては、開口部２１１の存在が目立ってしまい、時計用文字板１の美的外観を十分に優れたものとするのが困難になる。一方、開口部２１１のピッチが前記上限値を超えると、所定の開口率（開口部２１１の占有率）を確保するために、開口部２１１の幅を大きくする必要があり、そのため、金属板２１の構成材料や開口部２１１の幅等によっては、開口部２１１の存在が目立ってしまい、時計用文字板１の美的外観を十分に優れたものとするのが困難になる可能性がある。なお、開口部２１１のピッチとは、隣接する開口部２１１−開口部２１１間の中心間距離のことを指し、隣接する開口部２１１が複数個ある場合には、最も近接した開口部２１１との中心間距離のことを指す。
【００２０】
開口部２１１の形状は、特に限定されず、例えば、平面視した際の形状が略円形状、略楕円形状、略多角形状、スリット状、格子状等、いかなる形状であってもよいが、図２に示す構成では、開口部２１１は、平面視した際の形状が略円形状をなすものである。開口部２１１が略円形状をなすものであると、開口部２１１の存在を十分に目立ちにくいものとしつつ、干渉縞等の発生をより確実に防止することができる。その結果、時計用文字板１の美的外観を、より確実に、特に優れたものとすることができる。
【００２１】
また、図２に示す構成では、金属板２１に、多数個の開口部２１１が設けられており、金属板２１を平面視した際に、これらの開口部２１１が、千鳥状に配されている。このような構成であることにより、金属材料に特有の質感をより効果的に表現しつつ、干渉縞等の発生をより確実に防止することができ、時計用文字板１の美的外観（高級感）を特に優れたものとすることができる。
開口部２１１は、いかなる方法で形成されたものであってもよいが、エッチングにより形成されたものであるのが好ましい。これにより、時計用文字板１における干渉縞等の発生をより確実に防止することができる。
【００２２】
金属板２１を平面視した際に開口部２１１が占める面積率（金属板２１の開口率）は、１０〜６０％であるのが好ましく、２０〜４０％であるのがより好ましく、２７〜３８％であるのがさらに好ましい。金属板２１の開口率が前記範囲内の値であると、金属材料に特有の質感をより効果的に表現しつつ、干渉縞等の発生をより確実に防止することができ、時計用文字板１の美的外観（高級感）を特に優れたものとすることができる。これに対し、金属板２１の開口率が前記下限値未満であると、開口部２１１の幅等によっては、干渉縞等の発生を確実に防止するのが困難になる。一方、金属板２１の開口率が前記上限値を超えると、開口部２１１の幅等によっては、開口部２１１の存在が目立ってしまい、時計用文字板１の美的外観を十分に優れたものとするのが困難になる。
【００２３】
［プラスチック板］
金属板２１よりも観察者側（外表面側）には、主としてプラスチック材料で構成されたプラスチック板２２が配されている。
このように、金属板２１よりも観察者側にプラスチック板２２が配されることにより、時計用文字板１としての透明感を高め、審美性の更なる向上を図ることができる。
【００２４】
ところで、上述したように、単に、金属板の外表面側に、プラスチック製の板を配置しただけでは、透明感を高めることはできるものの、干渉縞等が発生してしまい、時計（時計用文字板）としての審美性を著しく低下させてしまうことがあるが、本発明では、プラスチック板を用いるとともに、金属板として微小な開口部を有するものを用いることにより、金属材料が有する質感および透明感のある優れた美的外観を発揮させつつ、干渉縞等の発生を確実に防止することができ、結果として、時計用文字板の美的外観を非常に優れたものとすることができる。
【００２５】
プラスチック板２２は、光透過性を有するものであればよいが、可視光領域（３８０〜７８０ｎｍの波長領域）の光の透過率が、５０％以上のものであるのが好ましく、８０％以上のものであるのがより好ましい。このように、プラスチック板２２の光透過性が高いものであると、時計用文字板１を、より優れた透明感を有し、特に優れた外観を呈するものとすることができる。なお、光の透過率は、例えば、光源として、白色蛍光灯（日立ライティング（株）社製、ＦＬ１５Ｎ−Ｂ（ハイホワイト））を用いて測定した値を採用することができる。
【００２６】
プラスチック板２２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、プラスチック板２２は、主として、ポリカーボネートで構成されたものであるのが好ましい。これにより、時計用文字板１全体としての強度を特に優れたものとすることができる。また、プラスチック板２２の成形の自由度が増す（成形のし易さが向上する）ため、より複雑な形状の時計用文字板１であっても、容易かつ確実に製造することができる。また、プラスチック板２２がポリカーボネートで構成されたものであると、金属板２１を構成する金属材料の質感が低下してしまうのを確実に防止しつつ、時計用文字板１としての透明感を特に優れたものとすることができる。また、ポリカーボネートは、各種プラスチック材料の中でも比較的安価で、時計用文字板１の生産コストのさらなる低減に寄与することができる。
【００２７】
なお、プラスチック板２２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、プラスチック板２２が着色剤を含む材料で構成されたものであると、時計用文字板１の色のバリエーションを広げることができる。
プラスチック板２２は、各部位でその組成が実質的に均一な組成を有するものであってもよいし、部位によって組成の異なるものであってもよい。
【００２８】
プラスチック板２２の厚さは、特に限定されないが、５０〜５００μｍであるのが好ましく、１００〜４５０μｍであるのがより好ましく、１８０〜４３０μｍであるのがさらに好ましい。プラスチック板２２の厚さが前記範囲内の値であると、金属材料に特有の質感を十分に発揮させるとともに、干渉縞等の発生を確実に防止しつつ、より透明感のある優れた美的外観を発揮させることができる。これに対し、プラスチック板２２の厚さが前記下限値未満であると、時計用文字板１の外観を十分に透明感のあるものとすることが困難になる。また、金属板２１の厚さによっては、時計用文字板１全体としての厚さが薄くなりすぎ、時計用文字板１を既存のムーブメントに適用するのが困難になる可能性がある。一方、プラスチック板２２の厚さが前記上限値を超えると、時計用文字板１全体として、金属板２１を構成する金属材料が有する質感を十分に発揮させるのが困難となり、時計用文字板１の美的外観（高級感）を十分に優れたものとするのが困難になる場合がある。
【００２９】
［指標］
金属板２１のプラスチック板２２に対向する面側には、指標３が設けられている。このような指標３としては、例えば、時刻を示す等の機能を有する文字・数字（いわゆる時字等）、目盛、記号や、各種マーク等が挙げられる。
特に、本実施形態では、金属板２１の表面ではなく、プラスチック板２２の外表面（金属板２１に対向する面とは反対側の主面）に、指標３が設けられている。このような部位に指標が設けられることにより、指標３の立体感を向上させることができ、時計用文字板１の美的外観を特に優れたものとすることができる。一般に、指標の形成方法として、各種印刷法を用いた場合、効率良く指標を形成することができ、時計用文字板の生産性を高めることができるという利点がある一方で、指標の高さを比較的高くすることが困難であるが、本実施形態の時計用文字板１では、透明性を有するプラスチック板２２の外表面に指標３が設けられているため、指標３の高さが比較的低いものであっても、立体感に優れた外観を得ることができる。
【００３０】
また、金属板２１の表面に指標３を設ける場合には、金属板２１には、上述したような開口部２１１が設けられているため、印刷法等による金属板２１の表面への指標３の設置が困難である。また、このような問題を回避するために、開口部２１１を、金属板２１の指標３を設置すべき部位以外の部位に選択的に形成する（言い換えると、金属板２１の指標３を設置すべき部位には開口部２１１を形成しない）ことも考えられるが、このような場合、開口部２１１の幅等によっては、金属板２１の開口部２１１が設けられている領域と、開口部２１１が設けられていない領域との境界が目立ってしまい、時計用文字板１の美的外観を十分に向上させるのが困難になることがある。これに対し、本実施形態のように、プラスチック板２２の外表面に指標３を設けることにより、これらの問題の発生を確実に防止することができる。
【００３１】
また、時計用文字板１においては、指標３が、足部を有するものであって、プラスチック板２２には、前記足部が挿入して固定される孔部または凹部が設けられていてもよい。このような構成であることにより、指標３とプラスチック板２２との密着性を特に優れたものとすることができ、時計用文字板１の耐久性を特に優れたものとすることができる。また、指標３の高さを容易に比較的高いものとすることができ、指標３の立体感をさらに優れたものとすることができる。なお、指標３が上記のような足部を有するものである場合、指標３は、金属板２１に対しても好適に固定することができる。
【００３２】
＜時計＞
次に、上述したような本発明の時計用文字板を備えた本発明の時計について説明する。
本発明の時計は、上述したような本発明の時計用文字板を有するものである。本発明の時計を構成する時計用文字板（本発明の時計用文字板）以外の部品としては、公知のものを用いることができるが、以下に、本発明の時計の構成の一例について説明する。
【００３３】
図３は、本発明の時計（腕時計）の好適な実施形態を示す断面図である。
図３に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、ムーブメント８１とが収納されており、さらに、図示しない針（指針）等が収納されている。時計用文字板１は、ガラス板（カバーガラス）８５との間に設けられており、プラスチック板２２の指標３が設けられた面側が、ガラス板（カバーガラス）８５側（外表面側）を向くように配置されている。
【００３４】
ガラス板８５は、通常、透明性の高い透明ガラスやサファイア等で構成されている。これにより、本発明の時計用文字板１の審美性を十分に発揮させることができる。
ムーブメント８１は、指針を駆動する機能を有している。
図３中では省略しているが、ムーブメント８１内には、例えば、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【００３５】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００３６】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００３７】
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
なお、上記の説明では、時計の一例として、腕時計（携帯時計）を挙げて説明したが、本発明は、腕時計以外の携帯時計、置時計、掛け時計等の他の種類の時計にも同様に適用することができる。
【００３８】
以上、本発明の好適な実施形態について説明したが、本発明は、これらに限定されるものではない。
例えば、本発明の時計用文字板、時計では、各部の構成は、同様の機能を発揮する任意の構成のものに置換することができ、また、任意の構成を付加することもできる。
また、前述した実施形態では、本発明の時計は、開口部が設けられた金属板とプラスチック板とを有する時計用文字板を備えるものとして説明したが、本発明の時計は、上述したような開口部が設けられた金属板と、上述したようなプラスチック板とを、別部材として備えるものであってもよい。
【実施例】
【００３９】
次に、本発明の具体的実施例について説明する。
１．時計用文字板の製造
以下に示すような方法で、各実施例および各比較例について、時計用文字板（腕時計用文字板）を製造した。
【００４０】
（実施例１）
まず、ステンレス鋼（ＳＵＳ３０４）製の金属板（６００ｍｍ×３００ｍｍ×厚さ１００μｍ）を用意した。
次に、金属板の表面（両側の主面）に、マスク形成用膜を被覆した。
マスク形成用膜の形成は、スピンコーターを用い、回転数３０００ｒｐｍという条件により、金属板の表面を被覆し、その後、７０〜１００℃で、２０分間乾燥することにより行った。形成されたマスク形成用膜の平均厚さは、約１０μｍであった。
【００４１】
次に、マスク形成用膜に、所定のパターンで開口部を形成することにより、開口部を有するマスクとした。マスク形成用膜への開口部の形成を露光により行った。光源としては、超高圧水銀灯を用いた。また、この際、光源と基材とを相対的に移動させつつ、レーザー光を間欠的に照射した。また、光源からの照射は、光量１００ｍＪ／ｃｍ２という条件で行った。このとき、金属板を平面視した際に、金属板の一方の主面に設けられたマスクの開口部と、金属板の他方の主面に設けられたマスクの開口部とが、重なり合うように、各マスク形成用膜に開口部を形成した。
【００４２】
次に、エッチング液を用いたエッチングを行うことにより、金属板に開口部を形成した。エッチングは、マスクで被覆された金属板を、エッチング液中に浸漬することにより行った。本工程におけるエッチング液の温度、エッチング時間は、それぞれ約２０℃、約５分間であった。これにより、金属板を貫通する多数個の円形状の開口部が、千鳥状に形成された（図２参照）。
【００４３】
次に、水酸化ナトリウム溶液で構成されたマスク除去剤に浸漬することにより、マスクを除去し、開口部が設けられた金属板を得た。また、本工程におけるマスク除去剤の温度、マスク除去剤への浸漬時間は、それぞれ３０〜４０℃、５〜１０分間であった。金属板が有する開口部の幅（直径）Ｗは１６０μｍ、ピッチＰは２５５μｍであった。また、金属板を平面視した際に開口部が占める面積率（開口率）は、３５．４％であった。
その後、開口部が形成された金属板を打ち抜き成形し、必要箇所を切削、研磨することにより、直径：２７ｍｍ×厚さ：１００μｍの略円盤状をなす多数個の金属板を得た。
【００４４】
一方、ポリカーボネートを用いて、圧縮成形により、略円盤状の板材を作製し、その後、必要箇所を切削、研磨した。これにより、直径：２７ｍｍ×厚さ：４００μｍの略円盤状をなすプラスチック板を得た。
次に、プラスチック板の一方の主面に、インクジェット法により、指標を形成した。
次に、上記のようにして開口部が設けられた金属板と、指標が設けられたプラスチック板とを接合し、図１、図２に示すような時計用文字板が得られた。
【００４５】
（実施例２〜１０）
金属板の構成材料、プラスチック板の構成材料、金属板、プラスチック板を表１に示すようにするとともに、開口部の形成条件（マスク形成用膜に形成する開口部の大きさ、配置パターン等のエッチング条件等）を変更することにより、金属板が有する開口部の幅Ｗ、ピッチＰ、金属板の開口率を表１に示すようにした以外は、前記実施例１と同様にして時計用文字板を製造した。なお、実施例３、５、８、９、１０については、開口部の形成をレーザー加工により行った。
【００４６】
（比較例１）
プラスチック板に接合する金属板として、開口部を設けていないものを用いた以外は、前記実施例１と同様にして時計用文字板を製造した。
（比較例２）
前記実施例１でプラスチック板に対して行ったのと同様の条件で、金属板の表面にインクジェット法により指標を形成し、この金属板を、プラスチック板と接合しなかった以外は、前記比較例１と同様にして時計用文字板を製造した。すなわち、本比較例の時計用文字板は、プラスチック板を備えておらず、前記のような開口部を有さない金属板の表面に、直接、指標が設けられたものである。
【００４７】
（比較例３）
前記実施例１でプラスチック板に対して行ったのと同様の条件で、金属板の表面にインクジェット法により指標を形成し、この金属板を、プラスチック板と接合しなかった以外は、前記実施例１と同様にして時計用文字板を製造した。すなわち、本比較例の時計用文字板は、プラスチック板を備えておらず、開口部を有する金属板の表面に、直接、指標が設けられたものである。
【００４８】
各実施例および各比較例の時計用文字板の構成を表１にまとめて示す。なお、表中、ポリカーボネートをＰＣで示し、アクリロニトリル−ブタジエン−スチレン共重合体（ＡＢＳ樹脂）をＡＢＳで示した。なお、各実施例および各比較例の時計用文字板を構成するプラスチック板は、光源として白色蛍光灯（日立ライティング（株）社製、ＦＬ１５Ｎ−Ｂ（ハイホワイト））を用いた測定により求められる可視光領域の光の透過率が、いずれも、９５％以上であった。
【００４９】
【表１】
2009085774.tif 000003
【００５０】
２．干渉模様の発生
前記各実施例および各比較例で製造した各時計用文字板について、指標部が配置されている面側から目視による観察を行い、干渉模様（干渉縞等）の発生状態を以下の５段階の基準に従い、評価した。
Ａ：干渉模様の発生が全く認められない。
Ｂ：干渉模様がほとんど認められない。
Ｃ：干渉模様がわずかに認められる。
Ｄ：干渉模様がはっきりと認められる。
Ｅ：干渉模様が顕著に認められる。
【００５１】
３．透明感の評価
前記各実施例および各比較例で製造した各時計用文字板について、指標部が配置されている面側から目視による観察を行い、これらの外観から受ける透明感を以下の５段階の基準に従い、評価した。
Ａ：非常に透明感に優れた外観を呈している。
Ｂ：透明感に優れた外観を呈している。
Ｃ：透明感がやや劣っている。
Ｄ：透明感が劣っている。
Ｅ：透明感が非常に劣っている。
【００５２】
４．立体感の評価
前記各実施例および各比較例で製造した各時計用文字板について、指標部が配置されている面側から目視による観察を行い、これらの外観から受ける指標の立体感を以下の５段階の基準に従い、評価した。
Ａ：指標の立体感が非常に優れている。
Ｂ：指標の立体感に優れている。
Ｃ：指標の立体感がやや劣っている。
Ｄ：指標の立体感が劣っている。
Ｅ：指標の立体感が非常に劣っている。
【００５３】
５．外観総合評価
前記各実施例および各比較例で製造した各時計用文字板について、指標部が配置されている面側から目視による観察を行い、これらの外観を以下の６段階の基準に従い、評価した。
Ａ：極めて優れた外観を有している。
Ｂ：優れた外観を有している。
Ｃ：良好な外観を有している。
Ｄ：外観がやや不良。
Ｅ：外観が不良。
Ｆ：外観が極めて不良。
これらの結果を表２に示す。
【００５４】
【表２】
2009085774.tif 000004
【００５５】
表２から明らかなように、本発明の時計用文字板は、いずれも、金属材料が有する質感および透明感のある優れた美的外観を発揮され、かつ、干渉縞等の発生が確実に防止されたものであった。また、本発明の時計用文字板は、指標の立体感にも優れており、指標の視認性にも優れていた。
これに対し、比較例では、満足な結果が得られなかった。すなわち、開口部を設けていない金属板を用いた比較例１の時計用文字板では、干渉模様（干渉縞等）の発生が顕著であり、美的外観に劣っていた。また、プラスチック板を備えていない比較例２、３の時計用文字板では、透明感に劣った外観となり、満足のいく美的外観が得られなかった。特に、プラスチック板を備えておらず、金属板に開口部が設けられた比較例２の時計用文字板では、開口部の存在が目立ってしまい、時計用文字板の審美性は、劣ったものであった。
また、各実施例および各比較例で得られた時計用文字板を用いて、図３に示すような時計を組み立てた。このようにして得られた各時計について、上記と同様の試験、評価を行ったところ、上記と同様の結果が得られた。
【図面の簡単な説明】
【００５６】
【図１】本発明の時計用文字板の好適な実施形態を示す縦断面図である。
【図２】金属板が有する開口部の形状（パターン）の一例を説明するための模式的な平面図である。
【図３】本発明の時計（腕時計）の好適な実施形態を示す断面図である。
【符号の説明】
【００５７】
１…時計用文字板  ２…文字板本体  ２１…金属板  ２１１…開口部  ２２…プラスチック板  ３…指標  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  １００…腕時計（携帯時計）
【図１】
2009085774.tif 000005
【図２】
2009085774.tif 000006
【図３】
2009085774.tif 000007